(57)【要約】【課題】従来の簡易製本では、すべてタイトバック式であり、本の中身と背表紙を密着させたものである。このタイトバック式では、どうしても本が開きにくく、傷みやすくなる。また、自社製本においてもハードカバーにして重厚な感じにしたいという要望もある。【解決手段】多数の被製本紙を簡易に製本する方法に用いるものであって、表紙、裏表紙、背表紙が１体となったもので、背表紙には接着剤が付着しておらず、表紙と裏表紙の内側の面にはほぼ全面に接着剤が塗布されているもの。【選択図】  図１
2005014407.tif 000002
【特許請求の範囲】
【請求項１】
多数の被製本紙を簡易に製本する方法に用いるものであって、表紙、裏表紙、背表紙が１体となったもので、背表紙には接着剤が付着しておらず、表紙と裏表紙の内側の面にはほぼ全面に接着剤が塗布されていることを特徴とする簡易製本用ハードカバー。
【請求項２】
本体は、厚紙やプラスチックシートを化粧紙でカバーしたものである請求項１記載の簡易製本用ハードカバー。
【請求項３】
本体の表紙に化粧紙と同材質、同色、同模様の用紙であって印刷を施した表面シートを貼付したものである請求項２記載の簡易製本用ハードカバー。
【発明の詳細な説明】
【０００１】
【発明の属する技術分野】
本発明は、簡易製本用ハードカバーに関するものである。
【０００２】
【従来の技術】
製本とは、印刷等された紙をひとつにまとめて見やすく、保管しやすく、搬送しやすくするためのものである。
【０００３】
製本は紙を１つにまとめればよいため、ホッチキス止めしたり、紐で結束するだけでも製本である。しかし、それでは見かけが悪く、背表紙もないため棚に保管したときに区別できない。
【０００４】
そのため専門の製本業者に依頼して製本することとなる。しかし、これは非常に高価なもので、表紙に金文字等を入れると１冊数千円以上となる。よって、頻繁に製本するような会社や部署では、経費が相当嵩むこととなる。
【０００５】
このような経費を削減するため、最近簡易製本機なるものが市販されてきている。これは、専門業者に依頼せず、自社で製本するための装置である。原理は、被製本紙を束ねてその背部分において、ホットメルト樹脂で紙同士及び背表紙と接着するものである。
【０００６】
これは、自社で簡単に製本でき、しかも背表紙も付いているため、見かけもよい。
【０００７】
【発明が解決しようとする課題】
しかしながら、従来の簡易製本では、すべてタイトバック式であり、本の中身と背表紙を密着させたものである。このタイトバック式では、どうしても本が開きにくく、傷みやすくなる。
また、自社製本においてもハードカバーにして重厚な感じにしたいという要望もある。ハードカバーとは、厚紙やプラスチック板に化粧紙を貼付したものであり、通常被製本紙より少し大きいものである。これを表紙と裏表紙に固定するものである。
【０００８】
【課題を解決するための手段】
以上のような状況に鑑み、本発明者は鋭意研究の結果本発明簡易製本用ハードカバーを完成したものであり、その特徴とするところは、多数の被製本紙を簡易に製本する方法に用いるものであって、表紙、裏表紙、背表紙が１体となったもので、背表紙には接着剤が付着しておらず、表紙と裏表紙の内側の面にはほぼ全面に接着剤が塗布されている点にある。
【０００９】
ここで、被製本紙とは束ねて製本する用紙であり、印刷されているものでも白紙でもよい。また、材質も紙でなくともプラスチックでも、写真や布等ででもよい。また、多数は単に複数という程度で何枚以上というものではない。また、この被製本紙を束ねた被製本紙束を接着固定するものが本発明ハードカバーである。被製本紙を束ねる方法は、本発明には直接関係なくどのような方法でもよい。背表紙側でホットメルト接着剤で固着しても、縫着しても、更にその他の方法でもよい。
【００１０】
本方法はあくまでも簡易にもので専門の業者が行なうものではない。勿論、製本会社や印刷会社であっても、簡易に自社の書類を製本する等に使用することはできる。
【００１１】
本発明の表紙、裏表紙、背表紙は１体となっている。これらの各部は、厚紙やプラスチック製の厚いシート状のもので、各部間で折曲げ可能に構成されたものである。厚みは、自由であるが０．５ｍｍ〜５ｍｍ程度であり、好ましくは１．５〜２．５ｍｍである。
折り曲げが可能であれば、単なる１枚の厚いシートでもよいし、複数の部材を結合したものでもよい。
【００１２】
また、表紙、裏表紙、背表紙を別々の厚手の部材（連結しておいてもよい）で形成し、それを１枚の紙や布（カバーシート）でカバーする構造でもよい。これならば、各部間での折り曲げも容易で製造も簡単である。
【００１３】
前記カバーシートは、紙、布、不織布、プラスチックフィルム等どのようなものでもよい。よく卒業アルバムにあるような布製のものは重厚感もあり好適である。このカバーシートには、種々の印刷を施してもよい。また、金文字等を入れてもよい。
【００１４】
更に、このハードカバーの特徴は、背表紙部分には接着剤（ホットメルトタイプや感圧接着剤等）が固着されておらず、表紙と裏表紙の内側の面にはほぼ全面接着剤が塗布されている点である。
これは、タイトバック式ではなく、ホローバックタイプにするためである。この点が新規であり、従来の簡易製本用のハードカバーにはない特徴である。
【００１５】
また、表紙と裏表紙の内側の面のほぼ全面に接着剤が塗布されている。ここでいう接着剤は、感圧の接着剤又は粘着剤である。加熱等の必要をなくするためである。
表紙と裏表紙の内側の面のほぼ全面とは、当然被製本紙束より大きなエリアに塗布すれば接着剤がはみ出るため、被製本紙束と同じか少し小さいことが前提である。全面と言っても、完全に塗布するか、細かいドット状か、縞状のように空間があっても、外周囲とその内部の一部等、マクロ的に全面と考えられる状態であればよい。
【００１６】
また、取扱い上、剥離紙が接着剤上に貼られている。剥離紙は、位置決めを容易にするため、小さい部分と大きい部分に分割し、小さい部分のみ最初剥離して、位置を決めながら接着し、決まった後残りの剥離紙を剥離して全面接着する方法が好ましい。
【００１７】
背表紙や表紙等に記載する表題等は予め表紙に印刷してもよいが、製本時に作成する方法として、ハードカバーと同じ材質で、同じ色で同じ模様の用紙を準備し、そこにプリンターでプリントし、そのプリント紙を背表紙や表紙、裏表紙に貼付することもできる。
【００１８】
プリント紙としてハードカバーと同じ用紙を使用すれば見た目はほとんど分からず、最初からハードカバーに印刷されているように見える。特に金文字のテープ接着印字等を施すと、金文字製本と変わらない外観が得られる。勿論、プリント紙に予め印刷しておいてもよい。
【００１９】
【発明の実施の形態】
以下図面に示す実施の形態に基づいて、本発明をより詳細に説明する。
図１は、本発明ハードカバー１の１例を示す斜視図である。表紙、裏表紙、背表紙の芯材である厚紙２に、カバーシート３を貼ったものである。換言すると、表紙、裏表紙、背表紙はそれぞれ別体であるため、カバーシート３にそれらを別個に貼ったとも言える。
この例のカバーシート３は、布とプラスチックフィルムをラミネートしたものでありよくある卒業アルバム風である。表紙には何も印刷は施していない。
【００２０】
更に、裏表紙と背表紙のほぼ全面に接着剤４が塗布されている。この塗布エリア４は、被製本紙束とほとんど同じ大きさである。接着剤４の塗布は、薄い両面接着シートを貼ることによって行なってもよい。
【００２１】
図２は、図１の接着剤面に剥離紙を貼付したものである。剥離紙は、１面側で小片５と大片６に２分割されている。接着時には、最初小片５を剥離し、そこに被製本紙束を接着し、次いで大片６を剥離し全体を接着する。
この方法は、１枚の大きな剥離紙を剥離して１度に被製本紙束を接着する方法と比較して失敗が非常に少ない。
【００２２】
図３は、本発明ハードカバー１の表紙７に、金文字８でプリントされたプリント紙９を貼付したものである。ここでのプリント紙９は、市販の熱転写プリンターで金色のテープを用いて印刷した。
【００２３】
【発明の効果】
本発明簡易製本用ハードカバーには次のような大きな利点がある。
（１）  被製本紙束ができていれば、非常に簡単に手軽に製本ができる。専門業者による製本のような外観のものができる。
（２）  ハードカバーの背表紙に接着されていないため、即ち、ホローバック形式であるため、丈夫な製本となっている。
（３）  非常に安価にできる。
（４）  書類が製本されているため、紛失する可能性が少ない。保管や分類分けが容易である。
【図面の簡単な説明】
【図１】本発明ハードカバーの１例を示す斜視図である。
【図２】図１の接着剤面に剥離紙を貼付したところを示す斜視図である。
【図３】本発明ハードカバー１を用いて製本した本の１例を示す斜視図である。
【符号の説明】
１  ハードカバー
２  厚紙
３  カバーシート
４  接着剤
５  小片
６  大片
７  ハードカバーの表紙
８  金文字
９  プリント紙
【図１】
2005014407.tif 000003
【図２】
2005014407.tif 000004
【図３】
2005014407.tif 000005